(57)【要約】【課題】船倉に荷積みされた全ての貨物の結露を低コストで効率良く、しかも、確実に防止することができる、船倉内貨物の結露防止方法を提供する。【解決手段】船倉１内に荷積みされた金属製貨物２の結露を防止する、船倉内貨物の結露防止方法において、船倉１内に対流発生源としての送風機３を貨物２の両側に設置して、船倉１内の空気を強制的に対流させ、船倉１内の上部中央付近で対向して下降流となった暖かい空気を貨物２に当て、かくして、貨物２の温度を上昇させて、貨物２の結露を防止する。【選択図】図１
2015205603.tif 000002
【特許請求の範囲】
【請求項１】
船倉内に荷積みされた金属製貨物の結露を防止する、船倉内貨物の結露防止方法において、
前記船倉内に対流発生源を前記貨物の両側に設置して、前記船倉内の空気を強制的に対流させ、前記船倉内の上部中央付近で対向して下降流となった暖かい空気を前記貨物に当て、かくして、前記貨物の温度を上昇させて、前記貨物の結露を防止することを特徴とする、船倉内貨物の結露防止方法。
【請求項２】
前記対流発生源として、ヒーターを使用することを特徴とする、請求項１に記載の、船倉内貨物の結露防止方法。
【請求項３】
前記対流発生源として、送風機を使用することを特徴とする、請求項１に記載の、船倉内貨物の結露防止方法。
【請求項４】
前記対流発生源として、温風機を使用することを特徴とする、請求項１に記載の、船倉内貨物の結露防止方法。
【発明の詳細な説明】
【技術分野】
【０００１】
この発明は、船倉内貨物の結露防止方法、特に、船倉に荷積みされた全ての貨物の結露を低コストで効率良く、しかも、確実に防止することができる、船倉内貨物の結露防止方法に関するものである。
【背景技術】
【０００２】
鋼材運搬船や一般貨物船によりスチールコイルや各種鋼材等の金属製貨物を運搬する際に、船倉内の湿気等により金属製貨物の表面に結露が生じる恐れがあった。結露が生じると、金属製貨物に錆が発生して、製品価値を著しく損ない、場合によっては荷主からのクレームの対象となる。
【０００３】
結露の発生原因について説明する。
【０００４】
冬季の北半球では、南方への輸送時に結露が発生する。すなわち、冬季の北半球での貨物積載時は、露点温度が貨物温度より低いために結露は生じないが、南航を開始すると、外気温の上昇と海水温度の上昇が加わり、更に気圧の変動により外気の暖かな湿った空気が船倉内へ流入し、船倉内の露天温度が上昇する。この結果、貨物に結露が生じる。
【０００５】
また、大気圧の変化、昼夜の温度差による船倉内空気の膨張収縮、木材製ダンネージに含まれている水分の蒸発等から露点温度は上昇するが、貨物温度はあまり変化しない。この結果、貨物に結露が生じる。
【０００６】
さらに、昼間において、太陽を熱源に運搬船の甲板が暖められて、船倉内上部の温度は、急激に上昇するが、船倉内上部の温度のみが上昇するので、船倉内の空気に対流は生じない。この結果、貨物に結露が生じる。
【０００７】
従来、結露の防止対策として、図２に示すように、船倉４内に温風機５を貨物６に向けて設置し、温風機５からの温風を貨物６に直接を吹き付けて、貨物６の温度を上昇させる方法、あるいは、図３に示すように、マストロッカー内に設置した結露防止装置７により船倉４内の上部の空気を取り入れ、結露防止装置７を経由して暖めた空気を、船倉４内の船底付近の片側のバルクヘッドから船首尾線方向に排出して貨物６に吹き付けて、貨物６の温度を上昇させる方法が採用されていた。
【発明の開示】
【発明が解決しようとする課題】
【０００８】
しかし、上述した従来結露防止対策は、以下のような問題を有していた。
【０００９】
貨物６が密に積載されている場合、温風が当たった特定の貨物６の温度は、上昇するが、その他の貨物６の温度上昇は、極めて低い。
【００１０】
しかも、温風機５または結露防止装置７からの温風は、貨物６に当たった後、上昇流となって、図２および図３に示すように船倉４内の限られた領域内で対流し、船倉４内の全体に亘って対流することはない。
【００１１】
この結果、船倉４内の限られた貨物６の結露を防止することはできるが、全ての貨物６の結露を防止することはできなかった。
【００１２】
従って、この発明の目的は、船倉に荷積みされた全ての貨物の結露を低コストで効率良く、しかも、確実に防止することができる、船倉内貨物の結露防止方法を提供することにある。
【課題を解決するための手段】
【００１３】
この発明は、上記目的を達成するためになされたものであって、下記を特徴とするものである。
【００１４】
請求項１に記載の発明は、船倉内に荷積みされた金属製貨物の結露を防止する、船倉内貨物の結露防止方法において、前記船倉内に対流発生源を前記貨物の両側に設置して、前記船倉内の空気を強制的に対流させ、前記船倉内の上部中央付近で対向して下降流となった暖かい空気を前記貨物に当て、かくして、前記貨物の温度を上昇させて、前記貨物の結露を防止することに特徴を有するものである。
【００１５】
請求項２に記載の発明は、請求項１に記載の発明において、前記対流発生源として、ヒーターを使用することに特徴を有するものである。
【００１６】
請求項３に記載の発明は、請求項１に記載の発明において、前記対流発生源として、送風機を使用することに特徴を有するものである。
【００１７】
請求項４に記載の発明は、請求項１に記載の発明において、前記対流発生源として、温風機を使用することに特徴を有するものである。
【発明の効果】
【００１８】
この発明によれば、船倉内の空気を対向して対流させ、船倉内の上部中央部付近で下降流となった暖かい空気を貨物に当てることによって、船倉内の全ての貨物の温度を上昇させることができるので、全ての貨物の結露を低コストで効率良く、しかも、確実に防止することができる。
【００１９】
また、この発明によれば、船倉の底部に設置したヒーターにより、船倉底部の冷たい空気を暖めて、強制的に対流を発生させることにより、より効率良く、しかも、確実に結露を防止することができる。
【００２０】
また、この発明によれば、船倉の底部に設置した送風機により、船倉底部の冷たい空気を上昇させて、強制的に対流を発生させることにより、より効率良く、しかも、確実に結露を防止することができる。
【００２１】
また、この発明によれば、船倉の底部に設置した温風機により、船倉底部の冷たい空気を暖めると共に上昇させて、強制的に対流を発生させることにより、より効率良く、しかも、確実に結露を防止することができる。
【図面の簡単な説明】
【００２２】
【図１】この発明によって、船倉内に対流を発生させた状態を示す説明図である。
【図２】従来結露防止対策を示す説明図である。
【図３】別の従来結露防止対策を示す説明図である。
【発明を実施するための形態】
【００２３】
この発明の、船倉内貨物の結露防止方法の一実施態様を、図面を参照しながら説明する。
【００２４】
図１は、この発明によって、船倉内に対流を発生させた状態を示す説明図である。
【００２５】
図１において、１は、船倉であり、図中、左右方向が船首尾線方向である。２は、船倉１内に荷積みされた、スチールコイルや各種鋼材等の金属製貨物である。貨物２は、図面上は、一つであるが、実際は、複数個の貨物が空間をあけて積載されている。３は、船倉１内の貨物２の両側に設置された対流発生源としての送風機である。送風機３は、送風口を上向きにして設置されている。
【００２６】
送風機３を作動させて、船倉１の底部に滞留している冷えた空気を上昇させると、船倉１内の空気に強制的に対流が対向して生じ、船倉１の上部の暖かい空気は、船倉１内の上部中央付近で対向して下降流となって船倉１内の貨物２に当たる。
【００２７】
空気の対流は、船倉１内全体に亘って生じると共に、送風機３により貨物２間の空間内の冷えた空気が引き込まれ、この空間内にも暖かい空気が入り込むので、船倉１内の全ての貨物２に万遍なく暖かい空気が当たる。この結果、全ての貨物２の温度が上昇し、かくして、全ての貨物２の結露を効率良く、確実に防止することができる。しかも、送風機３を上向きにして作動させるのみで良いので、低コストで済む。
【００２８】
対流発生源として温風機を使用しても良い。この場合には、船倉１の上部の暖かい空気がさらに暖められ、船倉１内の上部中央付近で対向して下降流となって全ての貨物２に当たり、貨物２の温度をさらに上昇させることができるので、貨物２の結露のさらに高い防止効果が得られる。
【００２９】
対流発生源としてヒーターを使用しても良い。この場合には、船倉１の底部の冷えた空気は、ヒーターにより暖められて上昇するので、自然に対流が生じ、この結果、全ての貨物２の温度が上昇し、かくして、全ての貨物２の結露を効率良く、確実に防止することができる。
【００３０】
すなわち、船倉１の底部に滞留している冷たい空気を、ヒーターや温風機等の対流発生源により強制的に暖めて、上昇気流を発生させることにより、船倉１の底部のあらゆる場所の冷たい空気が引き寄せられる結果、船倉１内全体に亘って自然対流が起こる。これによって、船倉１内の全ての貨物２の結露を効率良く、確実に防止することができる。
【００３１】
なお、ヒーターを使用する場合には、送風機や温風機が不要となる。
【００３２】
対流発生源として送風機や温風機を使用する場合、空気の吸引口を貨物２間の空間に配すれば、より効率良く船倉１内底部の冷たい空気を吸入でき、暖かい空気を全ての貨物２に当てることができる。
【００３３】
以上説明したように、この発明によれば、船倉１内の空気を、ヒーター、送風機または温風機によって対流させることによって、船倉１内の全ての貨物２に万遍なく暖かい空気を当てることができるので、全ての貨物２の結露を効率良く、確実に防止することができる。
【００３４】
なお、貨物２は、スチールコイルや各種鋼材等の金属製貨物に限るものでないことは勿論である。
【符号の説明】
【００３５】
１：船倉
２：貨物
３：送風機
４：船倉
５：温風機
６：貨物
７：結露防止装置
【図１】
2015205603.tif 000003
【図２】
2015205603.tif 000004
【図３】
2015205603.tif 000005